(57)【要約】      （修正有）【課題】磁気制御輪羽根装置の提供。【解決手段】健康器具を具え、該健康器具に巻取り輪２０、磁気制御輪３０が設けられ、磁気制御輪がダンピングを発生して使用者が運動する時の抵抗力作用を提供し、該磁気制御輪の輪側面に別に羽根車４０が固定され、該羽根車に複数の羽根４２が放射状に一体に設けられ、該羽根車が回転する経路が該磁気制御輪の輪周面と相互に位置がずれた構造とされ、羽根車が磁気制御輪が回転する時に、回転の遠心力と圧力差により、並びに羽根底端の入気空間設計が組み合わされて、気流導入構造を形成し、流体力学原理に符合し、有効に風の抵抗を発生し、磁気制御輪ダンピングを増すほか、風音のサウンド効果を有するものとされる。【選択図】図３
0003108913.tif 000002
【実用新案登録請求の範囲】
【請求項１】
健康器具に枢設された磁気制御輪を具え、該磁気制御輪がダンピングを発生して使用者がエクササイズする時に抵抗力作用を提供する、磁気制御輪羽根装置において、
該磁気制御輪の輪側面に羽根車が螺子止めされ、羽根車が環状を呈する羽根本体を具え、その外端に一体に片状の羽根が凸設され、別面に外向きに該磁気制御輪の外側端に対応する当接部が凸設され、該当接部が磁気制御輪の輪側面に当接し、羽根車に等分に複数の貫通孔が設けられ、該貫通孔を通る複数の固定手段により該羽根車が該磁気制御輪に螺子止めされ、該羽根車に等分に複数の羽根が環状に設けられ、該羽根の回転の経路が、磁気制御輪と相互に位置がずれ、羽根の底端と軸心間に、気流を導入する平面空間が形成され、羽根車の羽根が当接部による支持を受けるほか、本体部分に当接部より突出する凸縁面が延伸され、羽根が更に支持を受けて支持面積が拡大され、羽根が凸縁面より突出するよう形成され、気流導入機能を具備するほか、羽根の二側も入気機能を具備し、これにより、羽根車が磁気制御輪に伴い回転する時、遠心力及び羽根の送風作用により気体が順調に羽根底端の空間より羽根の間に導入されて羽根が気体を補充し、確実に風の抵抗を発生することを特徴とする、磁気制御輪羽根装置。
【請求項２】
健康器具に枢設された磁気制御輪を具え、該磁気制御輪がダンピングを発生して使用者がエクササイズする時に抵抗力作用を提供する、磁気制御輪羽根装置において、
磁気制御輪の輪側面に羽根車が固定され、該羽根車が羽根本体の底端環面に一体に形成された複数の片状の羽根を具え、且つこれら羽根が回転する経路が、磁気制御輪の輪周面と相互に位置がずれた構造とされ、これにより、羽根車が磁気制御輪に伴い回転して発生する風の抵抗が増されたことを特徴とする、磁気制御輪羽根装置。
【請求項３】
請求項２記載の磁気制御輪羽根装置において、羽根本体の別面に、外向きに突出するように、磁気制御輪の外側端に対応する当接部が形成され、該当接部が羽根車の輪側面に当接し、羽根車に複数の貫通孔が設けられ、該貫通孔を通る複数の固定部品により羽根車が磁気制御輪に螺子止めされたことを特徴とする、磁気制御輪羽根装置。
【考案の詳細な説明】
【技術分野】
【０００１】
本考案は一種の健康器具の技術領域に属し、特に、健康器具使用時に、余分に磁気制御ダンパのダンパ作用を増加できるほか、風のサウンド効果を有する健康器具の構造に関する。
【背景技術】
【０００２】
産業技術の向上に伴い、健康運動器材の領域にあって、各種の健康器具が使用者に異なる方式で身体の各部位のエクササイズ効果を提供している。また、機能上、その使用時のダンパ負荷の効果を向上し、及び風車の風音のサウンド効果の発生などの機能の付加など、さまざまな工夫が凝らされている。
【０００３】
図１は特許文献１に記載の技術を示し、それは、舟漕ぎ式健康器具８１に、フレームを利用して、巻取り器８２、及びダンパ輪８３が設けられ、該巻取り器８２及びダンパ輪８３の間がベルト８４で連動可能に結合されている。その特徴は、ダンパ輪８３の輪周面に、複数の抵抗片８５が離間設置され、これら抵抗片８５の設置により、ダンパ輪８３が回転する過程で風の抵抗が発生し、ダンパ効果を増すことにある。
【０００４】
この周知の健康器具は、使用時のダンパ機能を増すことができるが、実際にはその構造設計は不良で、製造、加工のコストが増し、且つその風の抵抗の効果は有効に確実に発揮されず、改良の必要がある。その構造の欠点をまとめると以下のようである。
１．加工、組立構造が不良である。以上を受けて、この周知の構造は、複数の抵抗片８５がネジでダンパ輪８３の輪周面に固定され、これにより、ダンパ輪８３の輪周面に対応するネジ孔を形成しなければならず、製造及び加工上の負担が増す。更に、これら抵抗片８５を一つずつダンパ輪８３に取り付ける作業は時間と手間がかかる。且つ各抵抗片８５のダンパ輪８３に取り付ける角度、高さ位置、及び締めつけ程度は完全には一致させられず、使用時に弛みを発生したり、風の抵抗の効果に影響を与える。
２．発生する風の抵抗の効果が明らかでない。周知の発明は風の抵抗及び排風機能を発生するために用いる抵抗片８５が、ダンパ輪８３の輪周面に取り付けられ、ダンパ輪８３の回転に伴い、図２のように、これら抵抗片８５が回転して風の抵抗機能を発生する回転経路位置は、ダンパ輪８３の外径に重畳する。一般の概念上にあって、このような構造の使用に不備はないようであるが、実際には、抵抗片８５の底端はダンパ輪８３の外径に当接し、抵抗片８５の上端或いは両側面は、回転遠心力及び抵抗片８５の案内作用の下で、ただ外向きに空気を押し出す作用のみ有し、高速回転下では、抵抗片８５の両側端部がこれにより「風壁」に類似の現象を形成し、抵抗片８５の外側にある気体が有効に隣り合う抵抗片８５の間に進入できず、有効に風の抵抗の効果を形成できなくなる。
【０００５】
【特許文献１】台湾特許公告第４６８４７９号明細書
【考案の開示】
【考案が解決しようとする課題】
【０００６】
本考案の主要な目的は、一種の磁気制御輪羽根装置を提供することにあり、それは、磁気制御健康器具のダンパ負荷を高くする時、羽根の形成する風の抵抗及び風のサウンド効果を発生できるものとする。
【０００７】
本考案のもう一つの目的は、一種の磁気制御輪羽根装置を提供することにあり、それは、健康器具の風の抵抗及びサウンド効果を有する羽根車装置の製造及び組付けを簡便、快速とし、及びコストを節約できるようにするものとする。
【課題を解決するための手段】
【０００８】
請求項１の考案は、健康器具に枢設された磁気制御輪を具え、該磁気制御輪がダンピングを発生して使用者がエクササイズする時に抵抗力作用を提供する、磁気制御輪羽根装置において、
該磁気制御輪の輪側面に羽根車が螺子止めされ、羽根車が環状を呈する羽根本体を具え、その外端に一体に片状の羽根が凸設され、別面に外向きに該磁気制御輪の外側端に対応する当接部が凸設され、該当接部が磁気制御輪の輪側面に当接し、羽根車に等分に複数の貫通孔が設けられ、該貫通孔を通る複数の固定手段により該羽根車が該磁気制御輪に螺子止めされ、該羽根車に等分に複数の羽根が環状に設けられ、該羽根の回転の経路が、磁気制御輪と相互に位置がずれ、羽根の底端と軸心間に、気流を導入する平面空間が形成され、羽根車の羽根が当接部による支持を受けるほか、本体部分に当接部より突出する凸縁面が延伸され、羽根が更に支持を受けて支持面積が拡大され、羽根が凸縁面より突出するよう形成され、気流導入機能を具備するほか、羽根の二側も入気機能を具備し、これにより、羽根車が磁気制御輪に伴い回転する時、遠心力及び羽根の送風作用により気体が順調に羽根底端の空間より羽根の間に導入されて羽根が気体を補充し、確実に風の抵抗を発生することを特徴とする、磁気制御輪羽根装置としている。
請求項２の考案は、健康器具に枢設された磁気制御輪を具え、該磁気制御輪がダンピングを発生して使用者がエクササイズする時に抵抗力作用を提供する、磁気制御輪羽根装置において、
磁気制御輪の輪側面に羽根車が固定され、該羽根車が羽根本体の底端環面に一体に形成された複数の片状の羽根を具え、且つこれら羽根が回転する経路が、磁気制御輪の輪周面と相互に位置がずれた構造とされ、これにより、羽根車が磁気制御輪に伴い回転して発生する風の抵抗が増されたことを特徴とする、磁気制御輪羽根装置としている。
請求項３の考案は、請求項２記載の磁気制御輪羽根装置において、羽根本体の別面に、外向きに突出するように、磁気制御輪の外側端に対応する当接部が形成され、該当接部が羽根車の輪側面に当接し、羽根車に複数の貫通孔が設けられ、該貫通孔を通る複数の固定部品により羽根車が磁気制御輪に螺子止めされたことを特徴とする、磁気制御輪羽根装置としている。
【考案の効果】
【０００９】
本考案の磁気制御輪羽根装置は、健康器具を具え、該健康器具に巻取り輪、磁気制御輪が設けられ、磁気制御輪がダンピングを発生して使用者が運動する時の抵抗力作用を提供し、該磁気制御輪の輪側面に別に羽根車が固定され、該羽根車に複数の羽根が放射状に一体に設けられ、該羽根車が回転する経路が該磁気制御輪の輪周面と相互に位置がずれた構造とされ、羽根車が磁気制御輪が回転する時に、回転の遠心力と圧力差により、並びに羽根底端の入気空間設計が組み合わされて、気流導入構造を形成し、流体力学原理に符合し、有効に風の抵抗を発生し、磁気制御輪ダンピングを増すほか、風音のサウンド効果を有するものとされる。
【考案を実施するための最良の形態】
【００１０】
本考案の磁気制御輪羽根装置は、健康器具と、該健康器具に組付けられた巻取り輪、磁気制御輪、織帯及び羽根車を具え、そのうち、該巻取り輪及び磁気制御輪は、前後に隣り合うように枢設され、且つこの二つの部品の間が伝動帯で連熱されて連動の機能を具備するものとされ、該織帯の一端は巻取り輪の輪軸に接続され、別端は使用者が引張って該磁気制御輪と巻取り輪を回転させ並びに該磁気制御輪に磁性ダンピングを発生させて磁気抵抗作用を発生するのに供される。該羽根車は羽根本体の側面外周に、一体に複数の放射状の羽根が形成され、且つその別側面に、該磁気制御輪外側端に対応する当接部が凸設され、該当接部が羽根車の輪側面に当接し、並びに複数の固定部品が羽根車を通り磁気制御輪の側辺に螺着され、これにより羽根が回転する時、磁気制御輪の回転の位置と位置がずれ、これにより、気体導入の効果が促進され、気体が容易に羽根の間に進入し、これにより羽根車が磁気制御輪の回転に伴い発生する風の抵抗が大幅に増される。また、羽根車の羽根と軸心部に設けられた気体導入空間が、気体の羽根への進入が容易でない問題を確実に改善する。
【００１１】
本考案は羽根と羽根車軸心間に羽根の設計がなく、羽根車高速運転下で、その発生する遠心力作用及び放射状の羽根が送る気体が生じる気流と気圧差の効果により、気体を容易に中心空間より各羽根の間に導入して、風の抵抗の効果を達成できる。
【実施例１】
【００１２】
図３及び図４に示されるように、本考案の磁気制御輪羽根装置は、健康器具フレーム（図示せず）に枢設されて連動式に結合された巻取り輪２０と磁気制御輪３０を具え、磁気制御輪３０が発生するダンピング作用により、使用者にエクササイズ時に抵抗効果を提供する。そのうち、健康器具フレームは特定の機種の限定されるものではない。
【００１３】
即ち該健康器具フレームは一般のマシンフレーム構造であり、内部に隣り合うように巻取り輪２０と磁気制御輪３０が枢設され、該巻取り輪２０に別に織帯５１が巻かれ、該磁気制御輪３０に羽根車４０が固定されている。
【００１４】
該巻取り輪２０内に単方向軸受（図示せず）が設けられ、それが単方向回転巻き取り動作を行なう輪型部品とされ、その輪軸に織帯５１一端を巻き付け、固定する巻き付け部２１が設けられ、また、該巻き付け部２１に隣り合うように輪帯部２２が設置されている。該輪帯部２２に伝動帯５２の一端が嵌合され、該伝動帯５２の別端は、磁気制御輪３０の対応位置に嵌合される。また、該織帯５１の、巻き付け部２１に固定された端部と反対の端部に、使用者の握持用のグリップバー５３が接続されている。
【００１５】
該磁気制御輪３０は磁気ダンピング作用を通し、引っ張り時の抵抗力効果を発生し、その中心の輪軸が輪帯部２２の一端に対応する適当な部分に、内部に単方向軸受を具えた軸スリーブ部３１が設けられて伝動帯５２の一端が挿入され、また、該磁気制御輪３０の側辺の輪面に複数のネジ孔３２が設けられ、羽根車４０が複数の固定部品５４で該磁気制御輪３０の輪側面に固定される。
【００１６】
該羽根車４０は円環状を呈する羽根本体４１を具え、その外端の環側面に、等間隔に複数の羽根４２が一体に形成され、その別端面に該磁気制御輪３０の外側端に対応する当接部４３が凸設され、該当接部４３が該磁気制御輪３０の輪側面に当接する。また、羽根車４０に等分に複数の貫通孔４５が設けられて固定部品５４が通され、羽根車４０の磁気制御輪３０の外側輪面への螺子止めに供される。
【００１７】
羽根車４０の羽根４２は当接部４３による支持を有するほか、本体部分に当接部４３より突出する凸縁面４６が延伸設置され、その羽根４２が更に支持されて支持面積が拡大され、羽根４２の製作上、凸縁面４６より突出し、それが気流を導入する効果を具備するほか、羽根４２の二側も入気効果を具備するものとされる。
【００１８】
これにより、本考案は上述の部品で構成され、磁気制御輪３０に螺子止めされた羽根車４０が磁気制御輪３０が回転するのに伴い回転し、その羽根４２の回転の経路が、磁気制御輪３０の輪周面位置と相互に位置がずれ、これにより、羽根車４０が高速回転する時、遠心力作用及びこれら放射状の羽根４２の設計、及び高速回転により発生する圧力差により、気体が自動的に羽根４２底端より、急速且つ十分に各羽根４２の間に導入、吸入され、これにより明らかな風の抵抗の効果が発生し、また風音のサウンド効果も具備する。
【００１９】
以上を受け、更に図５に示されるように、本考案のこれらの羽根４２の位置は、該磁気制御輪３０の輪側面部分に凸設され、これにより、該羽根車４０がこれら羽根４２の内周の部分に位置し、気体を導入し収容する空間４４を形成し、気体を正確に有効に羽根４２の底端より羽根の間に導入する。言い換えると、磁気制御輪３０が羽根車４０を駆動し回転させる時、これら羽根４２の側辺外端は高速回転により風壁を形成して外界気流の進入を阻止しうるが、羽根車４０の羽根４２の底端に気流導入の空間があり、この空間がまた羽根４２と連通し、且つ各羽根４２と羽根４２の間が、内から外の放射状に漸次開放される空間構造とされるため、これら羽根４２が回転する時、遠心力作用が組み合わされて、該空間内に位置する気流が羽根４２の間に導入され、いわゆる導流効果を形成し、羽根車４０回転時に発生する風の抵抗力を増し、これにより磁気制御ダンピング運動健康器具を使用時のダンピング効果が増され、また風音のサウンド効果が増される。
【００２０】
更に、本考案は製造及び加工、組立上、該羽根車４０の羽根４２が羽根本体４１に一体成形され、且つそれが該磁気制御輪３０に組付けられる時は、複数の固定部品５４で螺子止めすればよく、煩瑣な加工、組立作業が不要であり、製造、加工コストを節約できる。また、これら羽根４２の一体成形の構造により、その回転過程中に、弛みや羽根４２の相互間の設置角度の不同の情況が発生せず、これにより発生する風の抵抗及び排風時の品質が安定する。
【００２１】
以上から分かるように、本考案は上述の構造の設計により、有効に周知の技術の欠点を克服し、更に上述の多くの長所と実用価値を有する。ゆえに本考案は創造性に富んだ考案であり、且つ同じ技術領域中に同じ或いは類似の製品の発明或いは公開使用はなく、ゆえに本考案は新規性と進歩性の要件を具備している。
【図面の簡単な説明】
【００２２】
【図１】特許文献１に記載の構造の組合せ表示図である。
【図２】図１の風の抵抗及び排風の気流表示図である。
【図３】本考案の立体分解図である。
【図４】本考案の組合せ断面及び使用表示図である。
【図５】本考案の発生する風の抵抗及び排風の気流表示図である。
【符号の説明】
【００２３】
２０  巻取り輪            ２１  巻き付け部
２２  輪帯部              ３０  磁気制御輪
３１  軸スリーブ部        ３２  ネジ孔
４０  羽根車              ４１  羽根本体
４２  羽根                ４３  当接部
４４  空間                ４５  貫通孔
４６  凸縁面              ５１  織帯
５２  伝動帯              ５３  グリップバー
５４  固定部品
【図１】
0003108913.tif 000003
【図２】
0003108913.tif 000004
【図３】
0003108913.tif 000005
【図４】
0003108913.tif 000006
【図５】
0003108913.tif 000007